(57)【要約】【課題】名前を忘れても名刺レコードにアクセスすることができる名刺管理システム、方法及びプログラムを提供する。【解決手段】名刺管理システム１は、名刺に関連して人物の顔イメージを取得する顔イメージ取得手段１１ｃと、取得した顔イメージから該人物の顔イメージ属性情報を取得する属性情報取得手段１１ｂと、取得した前記顔イメージと前記顔イメージ属性情報とを関連付けて名刺レコードを作成する名刺レコード作成手段１１ｄと、作成した前記名刺レコードを記憶する記憶手段１７と、前記顔イメージ属性情報を検索キーとして記憶されている前記名刺レコードを検索する検索実行手段１１ｅと、検索された結果の前記名刺レコードの前記顔イメージをサムネイル表示するサムネイル表示手段１１ｆとを備える。【選択図】図１
2020009145.tif 000002
【特許請求の範囲】
【請求項１】
名刺に関連して人物の顔イメージを取得する顔イメージ取得手段と、
取得した顔イメージから該人物の顔イメージ属性情報を取得する属性情報取得手段と、
取得した前記顔イメージと前記顔イメージ属性情報とを関連付けて名刺レコードを作成する名刺レコード作成手段と、
作成した前記名刺レコードを記憶する記憶手段と、
前記顔イメージ属性情報を検索キーとして記憶されている前記名刺レコードを検索する検索実行手段と、
検索された結果の前記名刺レコードの前記顔イメージをサムネイル表示するサムネイル表示手段と
を備えることを特徴とする名刺管理システム。
【請求項２】
前記顔イメージ取得手段は、取り込んだ集合写真の複数の顔イメージの中から選択された顔イメージを切り出してそれぞれの顔イメージを取得することを特徴とする請求項１記載の名刺管理システム。
【請求項３】
前記顔イメージ属性情報は、顔イメージの撮影地若しくは撮影日時、又は顔イメージを切り出した日時を含むことを特徴とする請求項１記載の名刺管理システム。
【請求項４】
前記顔イメージ属性情報は、前記人物の性別、年令、又はメガネ着用の有無を含むことを特徴とする請求項１記載の名刺管理システム。
【請求項５】
名刺に関連して人物の顔イメージを取得する顔イメージ取得ステップと、
取得した顔イメージから該人物の顔イメージ属性情報を取得する属性情報取得ステップと、
取得した前記顔イメージと前記顔イメージ属性情報とを関連付けて名刺レコードを作成する名刺レコード作成ステップと、
作成した前記名刺レコードを記憶する記憶ステップと、
前記顔イメージ属性情報を検索キーとして記憶されている前記名刺レコードを検索する検索実行ステップと、
検索された結果の前記名刺レコードの前記顔イメージをサムネイル表示するサムネイル表示ステップと
を備えることを特徴とする名刺管理方法。
【請求項６】
コンピュータを、
名刺に関連して人物の顔イメージを取得する顔イメージ取得手段と、取得した顔イメージから該人物の顔イメージ属性情報を取得する属性情報取得手段と、取得した前記顔イメージと前記顔イメージ属性情報とを関連付けて名刺レコードを作成する名刺レコード作成手段と、作成した前記名刺レコードを記憶する記憶手段と、前記顔イメージ属性情報を検索キーとして記憶されている前記名刺レコードを検索する検索実行手段と、検索された結果の前記名刺レコードの前記顔イメージをサムネイル表示するサムネイル表示手段とを備える名刺管理システム
として機能させるためのプログラム。
【発明の詳細な説明】
【技術分野】
【０００１】
本発明は、名刺情報へのアクセスを支援する名刺管理システム、方法及びプログラムに関する。
【背景技術】
【０００２】
名刺は、顧客の個人情報を取得する上で極めて重要なビジネスツールと位置付けられている。名刺には、姓名、会社名、所属部署、役職名、会社住所、電話番号だけでなく、電子メールアドレス、ホームページアドレスなども記載され、その情報量が増加してきている。また、光学スキャナやＯＣＲ（Optical Character Reader）を用いて、名刺に印刷されている情報を電子情報に変換し、その電子化された名刺情報を名刺ＤＢに登録して管理する技術がある。
【０００３】
特許文献１には、名刺に表示された情報を含む名刺情報データベースを有するサーバを備えた名刺管理センターと、上記名刺管理センターのサーバにコンピュータネットワークを介して接続された複数の利用者端末と、名刺を持つ各利用者に対し固有の名刺番号を発行する名刺番号発行システムと、上記発行された名刺番号又はその他の名刺情報の各項目をキーとして上記サーバに登録済みの名刺情報の検索を行う名刺情報検索システムからなる名刺情報管理システムが記載されている。また、名刺情報データベースに顔情報を含めること（請求項３）、及び、顔写真を検索すること（００１１）が記載されている。
【０００４】
特許文献２には、名刺を保持可能な名刺保持部材と、固有の分類コードを表示するコード表示部材と、前記名刺保持部材及び前記コード表示部材を撮像する撮像部と、前記名刺保持部材及び前記コード表示部材に関する情報を記憶する記憶部と、を備え、前記名刺を保持した状態の前記名刺保持部材の画像及び前記分類コードを表示する前記コード表示部材の画像の両者を含む撮像画像情報を取得し、前記撮像画像情報から前記分類コードを認識して分類情報を取得すると共に、名刺画像情報を抽出し、取得した分類情報と、抽出した名刺画像情報とを関連付けて前記記憶部に記憶する名刺管理システムが記載されている。また、分類情報によって分類されているグループの複数の名刺画像情報をサムネイル形式で表示すること（００３６）が記載されている。
【０００５】
このような従来の名刺管理システムは、名刺に記載された名前の頭文字によって各名刺を分類して収容している。
【先行技術文献】
【特許文献】
【０００６】
【特許文献１】特開２００２−２２２２７０号公報
【特許文献２】特開２０１４−００２４３９号公報
【発明の概要】
【発明が解決しようとする課題】
【０００７】
しかしながら、このような従来の名刺管理システムは、名刺に記載された名前の頭文字によって各名刺を分類して収容しているので、名前を忘れてしまった場合、名刺レコードにアクセスすることができない。また、漢字・英字以外の特殊外国語文字（ロシア語文字など）であって普通の日本のパソコンでは入力・検索できない場合もある。
【０００８】
本発明の目的は、名前を忘れても名刺レコードにアクセスすることができる名刺管理システム、方法及びプログラムを提供することにある。
【課題を解決するための手段】
【０００９】
本発明に係る名刺管理システムは、名刺に関連して人物の顔イメージを取得する顔イメージ取得手段と、取得した顔イメージから該人物の顔イメージ属性情報を取得する属性情報取得手段と、取得した前記顔イメージと前記顔イメージ属性情報とを関連付けて名刺レコードを作成する名刺レコード作成手段と、作成した前記名刺レコードを記憶する記憶手段と、前記顔イメージ属性情報を検索キーとして記憶されている前記名刺レコードを検索する検索実行手段と、検索された結果の前記名刺レコードの前記顔イメージをサムネイル表示するサムネイル表示手段とを備えることを特徴とする。
【００１０】
これによって、名前を忘れてしまった場合、及び名前などが漢字・英字以外の特殊外国語文字の場合であっても名刺レコードにアクセスできる。名刺情報を利用するときの利便性を格段に向上させることができる。
【００１１】
前記顔イメージ取得手段は、取り込んだ集合写真の複数の顔イメージの中から選択された顔イメージを切り出してそれぞれの顔イメージを取得することで、ユーザの希望する人物の顔イメージを作成して、名刺レコードに登録することができる。
【００１２】
前記顔イメージ属性情報は、顔イメージの撮影地若しくは撮影日時、又は顔イメージを切り出した日時を含むことで、顔イメージと、顔イメージの撮影地若しくは撮影日時、又は顔イメージを切り出した日時と、を関連付けて登録しておくことができる。
【００１３】
前記顔イメージ属性情報は、前記人物の性別、年令、又はメガネ着用の有無を含むことで、顔イメージを用いて検索する際の検索の絞り込み条件を拡大することができる。また、あいまい検索した場合でもヒット率を上げることができる。
【００１４】
本発明に係る名刺管理方法は、名刺に関連して人物の顔イメージを取得する顔イメージ取得ステップと、取得した顔イメージから該人物の顔イメージ属性情報を取得する属性情報取得ステップと、取得した前記顔イメージと前記顔イメージ属性情報とを関連付けて名刺レコードを作成する名刺レコード作成ステップと、作成した前記名刺レコードを記憶する記憶ステップと、前記顔イメージ属性情報を検索キーとして記憶されている前記名刺レコードを検索する検索実行ステップと、検索された結果の前記名刺レコードの前記顔イメージをサムネイル表示するサムネイル表示ステップとを備えることを特徴とする。
【００１５】
また、本発明は、コンピュータを、名刺に関連して人物の顔イメージを取得する顔イメージ取得手段と、取得した顔イメージから該人物の顔イメージ属性情報を取得する属性情報取得手段と、取得した前記顔イメージと前記顔イメージ属性情報とを関連付けて名刺レコードを作成する名刺レコード作成手段と、作成した前記名刺レコードを記憶する記憶手段と、前記顔イメージ属性情報を検索キーとして記憶されている前記名刺レコードを検索する検索実行手段と、検索された結果の前記名刺レコードの前記顔イメージをサムネイル表示するサムネイル表示手段とを備える名刺管理システムとして機能させるためのプログラムである。
【発明の効果】
【００１６】
本発明によれば、名前を忘れても名刺レコードにアクセスすることができる名刺管理システム、方法及びプログラムを提供することができる。
【図面の簡単な説明】
【００１７】
【図１】本発明の実施の形態に係る名刺管理システムの第１の構成例を示す図である。
【図２】本発明の実施の形態に係る名刺管理システムの第２の構成例を示す図である。
【図３】本発明の実施の形態に係る名刺管理システムの構成を示すブロック図である。
【図４】本発明の実施の形態に係る名刺管理システムの記憶部のＤＢに蓄積される名刺レコードの一例を示す図である。
【図５】本発明の実施の形態に係る名刺管理システムの名刺レコードの顔イメージの一例を示す図である。
【図６Ａ】本発明の実施の形態に係る名刺管理システムの集合写真から顔画像を切り出す説明をする図である。
【図６Ｂ】本発明の実施の形態に係る名刺管理システムの集合写真から顔画像を切り出す説明をする図である。
【図７Ａ】本発明の実施形態に係る名刺管理システムのメインメニュー画面の例を示す図である。
【図７Ｂ】本発明の実施形態に係る名刺管理システムの新規名刺登録画面の例を示す図である。
【図８Ａ】本発明の実施形態に係る名刺管理システムの文字検索画面の例を示す図である。
【図８Ｂ】本発明の実施形態に係る名刺管理システムの顔検索画面の例を示す図である。
【図９】本発明の実施形態に係る名刺管理システムの名刺登録処理を示すフローチャートである。
【図１０】本発明の実施形態に係る名刺管理システムの顔イメージ取り込み処理を示すフローチャートである。
【図１１】本発明の実施形態に係る名刺管理システムの検索処理を示すフローチャートである。
【図１２】本発明の実施形態に係る名刺管理システムの検索処理を示すフローチャートである。
【発明を実施するための形態】
【００１８】
以下、添付図面を参照しながら本発明を実施するための形態について詳細に説明する。
（実施の形態）
図１は、本発明の実施の形態に係る名刺管理システムの第１の構成例を示す図、図２は、本発明の実施の形態に係る名刺管理システムの第２の構成例を示す図である。
図１に示す第１の構成例の名刺管理装置１０は、携帯型であり、例えば、情報処理機能が強化された携帯電話であるスマートホンや、携帯型情報端末であるＰＤＡ（Personal Digital Assistants）などにより実現されることを想定している。また、図２に示す第２の構成例の名刺管理装置１０Ａは、据置き型であり、例えば、デスクトップのパーソナルコンピュータ（以下、パソコンという）などで実現されることを想定している。
【００１９】
図１に示すように、名刺管理システム１は、スマートホン等の携帯型情報端末からなる名刺管理装置１０を備える。名刺管理装置１０は、撮像部１２、操作部１３、ＬＣＤ（Liquid Crystal Display）表示部１５、タッチパネル１６を備える。
【００２０】
また、図２に示すように、名刺管理システム１は、ＰＣ（Personal Computer）等からなる名刺管理装置１０Ａを備える。名刺管理装置１０Ａには、撮影端末２や名刺管理装置１０Ａからアクセス可能なインターネットからなるネットワーク３が接続可能である。
撮影端末２は、電子カメラ又はカメラ機能を有するスマートホン等のＰＤＡである。また、カメラ付き携帯電話機の携帯通信端末を用いてもよい。撮影端末２は、名刺管理装置１０Ａに例えばＵＳＢ（Universal Serial Bus）ケーブル４により接続可能である。
【００２１】
本実施の形態に係る名刺管理システム１は、図１のスマートホン等の名刺管理装置１０、又は図２のＰＣを用いた名刺管理装置１０Ａのいずれに適用してもよい。以下、名刺管理システム１を図１の名刺管理装置１０に適用した例について説明する。
【００２２】
図３は、名刺管理システム１の構成を示すブロック図である。
図３に示すように、名刺管理装置１０は、制御部１１（制御手段）、操作部１３、ＬＣＤ（Liquid Crystal Display）表示部１５、タッチパネル１６、記憶部１７（記憶手段）、及びインタフェース（Ｉ／Ｆ）部１９を備える。また、名刺管理装置１０には、撮像部１２、フラッシュライト１４、ＧＰＳ（Global Positioning System）機能部１８、無線通信のためのアンテナ、音声通話のためのマイクやスピーカーなどが設けられていてもよい。
【００２３】
制御部１１は、本装置全体を制御するマイクロコンピュータ等からなる。マイクロコンピュータは、ＲＯＭ（Read Only Memory）に記憶された制御プログラムを読み出してＲＡＭ（Random Access Memory）に展開し、ＣＰＵ（Central Processing Unit）が各種処理を実行する。
制御部１１は、名刺情報取得部１１ａ（名刺情報取得手段）と、属性情報取得部１１ｂ（属性情報取得手段）と、顔イメージ取得部１１ｃ（顔イメージ取得手段）と、名刺レコード作成部１１ｄ（名刺レコード作成手段）と、検索実行部１１ｅ（検索実行手段）と、サムネイル表示部１１ｆ（サムネイル表示手段）と、名刺レコード情報出力部１１ｇ（名刺レコード情報出力手段）と、を備える。
【００２４】
名刺情報取得部１１ａは、名刺に記載された人物の名前及び住所などの文字情報を取得する。
属性情報取得部１１ｂは、名刺に関連して人物の顔イメージ属性情報を取得する。
【００２５】
顔イメージ取得部１１ｃは、人物の顔イメージを取得する。人物の顔イメージ取得には、下記２パターンがある。
（パターン１：撮影画像から顔データの切り出しの場合）
顔イメージ取得部１１ｃは、撮影画像から人物の顔位置を検出し、顔位置の画像データを顔イメージとして切り出す。顔イメージ取得部１１ｃは、さらに撮影時の位置情報（ＧＰＳ機能部１８で取得した経度及び緯度）と撮影日時を切り出した顔イメージと共に記憶部１７に記憶する。
【００２６】
（パターン２：集合写真から顔データの切り出しの場合）
顔イメージ取得部１１ｃは、取り込んだ集合写真の人物の中から顔認識できた人物の顔部分を枠で囲んで表示する。顔イメージ取得部１１ｃは、集合写真から切り出した顔イメージをトリミングして撮影地及び撮影日時と共に保存する。顔イメージの撮影日時情報がない場合は、顔イメージを切り出した日時を保存する。
名刺レコード作成部１１ｄは、取得した顔イメージと顔イメージ属性情報とを関連付けて名刺レコード２０を作成する。
【００２７】
検索実行部１１ｅは、名前などの文字情報、及び／又は、顔イメージ属性情報を検索キーとして記憶部１７のＤＢ１７ａに蓄積された名刺レコード２０を検索する。
【００２８】
サムネイル表示部１１ｆは、記憶部１７に記憶されている名刺レコード２０の顔イメージをサムネイル表示する。本実施形態では、サムネイル表示部１１ｆは、記憶部１７に記憶されている名刺レコード２０の顔イメージの原画像を所定の縮小アルゴリズムによって縮小加工して表示する。サムネイルは、瞬時に表示させないと操作性が低下するため、高速で低品位な縮小アルゴリズムを用いる。なお、顔イメージの原画像を縮小加工した画像をあらかじめ用意し、呼び出して表示するサムネイル表示方法でもよい。この方法の場合、あらかじめ、高度なアルゴリズムを用いて縮小画像を作成しておくことができるので、より視認性の良いサムネイル表示となる。
【００２９】
名刺レコード情報出力部１１ｇは、顔イメージの指定又は名前などの文字情報の指定によって名刺レコード２０の情報を出力（表示）する。
【００３０】
撮像部１２は、撮影レンズ、ＣＣＤ（Charge Coupled Device）センサ、ＡＦＥ（Analog Front End）、及びＤＳＰ（Digital Signal Processor）を備える。撮像部１２は、ＬＣＤ表示部１５の裏側に設けられ、撮像時には、撮像部１２で撮像された画像がそのままＬＣＤ表示部１５に表示可能なように構成されている。
【００３１】
操作部１３は、タッチパネルや小型のキーボードなどによって構成される。
フラッシュライト１４は、暗い場所や撮影時等にユーザ操作等により発光する。
【００３２】
ＬＣＤ表示部１５は、ＬＣＤディスプレイ又は有機ＥＬ（Organic Electro-Luminescence）ディスプレイ、白色ＬＥＤバックライト及び各ドライバ等で構成され、撮影した画像やコンテンツ等を表示する。ＬＣＤ表示部１５は、名刺管理装置（携帯型情報端末）１０がスマートホン等の場合、筐体の表面の略全面を覆う大型ディスプレイである。また、撮像部１２が電子カメラの場合、筺体の背面を覆うように設けられる。
タッチパネル１６は、ＬＣＤ表示部１５の表示画面内で、任意の位置を指示するためのポインティングデバイスである。タッチパネル１６は、ユーザが上面を指で押したり、スライドしたり、離したりすることにより各操作を検出する。
【００３３】
記憶部１７は、大容量の不揮発性集積回路メモリであるフラッシュメモリなどによって構成される。記憶部１７は、名刺レコード２０（図４参照）を保存するデータベース（ＤＢ）１７ａを備え、ＤＢ１７ａには名刺に記載されている情報が顔イメージと関連付けられて記憶される。また、記憶部１７は、撮像部１２により撮像された対象物の画像情報を記憶する。画像情報は、例えば、ｊｐｅｇ又はｇｉｆなどのファイル形式により記憶される。また、記憶部１７には、名刺管理装置１０を制御するための制御プログラムが記憶されている。記憶部１７は、ＳＤ（Secure Digital）カード、ＵＳＢ（Universal Serial Bus）メモリ、メモリスティック（Memory Stick）などの外部メモリであってもよい。
【００３４】
ＧＰＳ機能部１８は、静止しているＧＰＳの位置情報の電波をＧＰＳ衛星から受信するＧＰＳアンテナ１８ａを備え、ＧＰＳアンテナ１８ａを介して受信した情報より、現在位置情報を、緯度／経度の２つのパラメータとして算出する。
【００３５】
なお、ＧＰＳ機能部１８に代えて、基地局及び携帯電話通信網（図示省略）を介して携帯電話会社サーバと情報の送受信を行い、接近確認から自端末の現在位置情報を取得することも可能である。
【００３６】
Ｉ／Ｆ部１９は、ＵＳＢ等のインタフェースによる有線接続、又はBluetooth（登録商標）等の無線接続を利用してＰＣ等の外部接続部に接続する。
【００３７】
図４は、本発明の実施の形態に係る名刺管理システム１の記憶部１７のＤＢ１７ａに蓄積される名刺レコード２０の一例を示す図である。
図４に示すように、名刺レコード２０は、名刺レコード識別番号毎に、グループ番号（個人用／会社用）、顔イメージ、属性情報（性別、年令、メガネなど）、撮影地と日時、名前、住所、電話番号、携帯電話番号、ＦＡＸ番号、メールアドレス、ニックネーム、会社名、部署名、会社電話番号、会社ＦＡＸ番号、会社メールアドレス、会社住所、ホームページアドレス、更新有無等を格納する。年令は、既知でなければ、顔イメージからの推定年令でもよいし、３０代などの幅があるものでもよい。属性情報には、薄毛、茶髪、左分けなどの髪形に関するものを含めてもよいし、長い、小さい、鼻が高いなどの顔の形を含めてもよい。
【００３８】
図５は、本発明の実施の形態に係る名刺管理システム１の名刺レコード２０の顔イメージの一例を示す図である。
図５に示すように、名刺レコード２０の顔イメージは、顔イメージ取得部１１ｃによって取得された人物の顔イメージが格納される。また、この顔イメージと共に、撮影時の位置情報と撮影日時が保存される（図４の名刺レコード２０の撮影地と日時参照）。ここで、集合写真から顔イメージを切り出した場合、集合写真から顔イメージを切り出した日時が保存される。
図５に示すように、顔イメージは、サムネイル表示を行う前の原画像を保存している。なお、サムネイル表示の呼び出し用画像として、原画像を縮小加工した画像を保存してもよい。顔イメージは、サムネイル表示した場合、性別、年令、メガネなど人物の顔の特徴が分かる程度の解像度で作成する。
【００３９】
図６Ａ、図６Ｂは、本発明の実施の形態に係る名刺管理システム１の集合写真から顔画像を切り出す説明をする図である。
図６Ａに示すように、顔イメージ取得部１１ｃ（図３参照）は、集合写真３０から顔画像を切り出す場合、集合写真３０の中の人物の顔認識を行う。そして、顔イメージ取得部１１ｃは、顔認識できた顔部分を囲む枠３１ａ〜３１ｄを設定する。ユーザは操作部１３を操作して目的の人物の顔を選択する。図６Ａでは、枠３１ｂの人物の顔が選択されたとする。
図６Ｂに示すように、顔イメージ取得部１１ｃは、選択された枠３１ｂの人物の顔部分を切り出して記憶部１７のＤＢ１７ａに顔イメージとして記憶する。
ここで、集合写真３０を撮影した撮影場所（撮影地）や撮影日時の情報が得られる場合は、切り出した顔イメージと共に撮影地や撮影日時の情報も登録し、撮影地や撮影日時の情報が得られない場合は、集合写真３０から顔イメージを切り出した日時を登録する。
【００４０】
以下、上述のように構成された名刺管理システム１の動作を説明する。
<名刺登録>
図７Ａは、本発明の実施の形態に係る名刺管理システム１のメインメニュー画面の例を示す図、図７Ｂは、その新規名刺登録画面の例を示す図である。
名刺管理装置１０の制御部１１（図３参照）が処理を開始すると、ＬＣＤ表示部１５（図３参照）に初期画面として、図７Ａに示すようなメインメニュー画面５０を表示する。メインメニュー画面５０には、新規名刺登録ボタン５１、文字から検索ボタン５２、顔から検索ボタン５３、データベース同期化ボタン５４、終了ボタン５５などのメニューボタンが表示される。
【００４１】
メインメニュー画面５０において、メニューボタンのいずれかがタッチされると、制御部１１は、そのタッチされたメニューボタンに対応付けられた所定の処理を実行する。例えば、新規名刺登録ボタン５１がタッチされると、ＬＣＤ表示部１５には、図６Ｂに示す新規名刺登録画面６０が表示される。
【００４２】
新規名刺登録画面６０には、顔画像を表示する顔画像表示領域６１、名刺レコード２０（図４参照）の入力欄６２、ソフトキーボード６３、戻るボタン６４、登録ボタン６５などが表示される。
【００４３】
ユーザは、顔画像表示領域６１をタッチして、撮像部１２で人物の顔を撮像すると、撮像された顔画像が顔画像表示領域６１に表示される。この場合、撮像された顔画像は、適宜ファイル名称が付され、顔イメージとして記憶部１７のＤＢ１７ａの名刺レコード２０に登録される。
【００４４】
ユーザは、名刺レコード２０の入力欄６２の１つを選択し、ソフトキーボード６３を適宜タッチすることによって、名刺レコード２０の各フィールドにデータを入力することができる。フィールドとは、名刺レコード２０を構成する１つ１つの要素であり、例えば入力欄６２の１つが１フィールドである。図４の場合、名刺レコード２０は２４個のフィールドの項目（セル）を有する。
なお、入力欄６２の表示は、上下にスクロールさせることができ、そのスクロールによって全フィールドの入力欄を表示させることができる。
【００４５】
以上のようにして、名刺レコード２０のフィールドデータが入力され、ユーザが登録ボタン６５をタッチすると、入力されたフィールドデータに基づき、顔イメージを備える名刺レコード２０が作成される。そして、その作成された名刺レコード２０は、記憶部１７のＤＢに登録される。
なお、登録ボタン６５がタッチされるとき、名刺レコード２０のすべてのフィールドにフィールドデータを入力する必要はない。例えば、顔イメージを先に登録する、あるいは文字データを先に入力し、後で顔イメージを登録することが可能である。
また、戻るボタン６４がタッチされると、前のメインメニュー画面５０が表示される。
【００４６】
<名刺検索>
図８Ａは、本発明の実施の形態に係る名刺管理システム１の文字検索画面の例を示す図、図８Ｂは、その顔検索画面の例を示す図である。
メインメニュー画面５０（図７Ａ参照）において、文字から検索ボタン５２がタッチされると、図８Ａに示す文字検索画面７０が表示される。文字検索画面７０には、文字入力欄７１、名刺一覧７２などが表示される。
なお、文字検索は、従来技術であり、文字検索に関して、例えば完全一致検索、部分検索、大文字・小文字区別などの方法が適用可能である。
文字入力欄７１には、名前の１文字目を指定する５０音の文字を選択するボタンが表示される。入力された文字に該当する名刺レコード２０が記憶部１７のＤＢから抽出され、その抽出された名刺情報に含まれる、例えば、名前＋住所の一覧が名刺一覧７２として表示される。
なお、文字検索画面７０には、キーワード検索を行うためのキーワード入力欄が表示されるとしてもよく、その場合には、キーワード入力欄に入力されたキーワードでＤＢが検索され、その検索により抽出された名刺情報の一覧が名刺一覧７２に表示される。
続いて、ユーザが、名刺一覧７２に表示された名刺情報の一覧から、その１つを選択し、選択ボタン７４をタッチすると、名刺詳細表示画面（図示省略）が表示される。この名刺詳細表示画面には、該当人物の名刺レコード２０の詳細情報が表示される。
【００４７】
メインメニュー画面５０（図７Ａ参照）において、顔から検索ボタン５３がタッチされると、図８Ｂに示す顔検索画面８０が表示される。顔検索画面７０には、属性入力欄８１、顔イメージ一覧８２などが表示される。
属性入力欄８１には、属性情報（性別、年令、メガネなど）を入力するボタンが表示される。入力された属性情報に該当する名刺レコード２０の顔イメージが記憶部１７のＤＢから抽出され、その抽出された顔イメージが顔イメージ一覧８２としてサムネイル形式で表示される。
続いて、ユーザが、顔イメージ一覧８２に表示された顔イメージの一覧から、その１つの顔イメージを選択し、選択ボタン８４をタッチすると、名刺詳細表示画面（図示省略）が表示される。この名刺詳細表示画面には、顔イメージに該当する人物の名刺レコード２０の詳細情報が表示される。
以上のようにして、ユーザは、顔イメージから名刺情報を検索することができ、名刺レコード２０の詳細情報を閲覧することができる。
【００４８】
図９は、本発明の実施の形態に係る名刺管理システム１の名刺登録処理を示すフローチャートである。本フローは、名刺管理装置１０の制御部１１（図３参照）により実行される。
まず、ステップＳ１で名刺情報取得部１１ａ（図３参照）は、名前、住所などの名刺文字データをＯＣＲなどによって取り込む。
ステップＳ２で顔イメージ取得部１１ｃは、人物の顔イメージを取り込む。顔イメージの取り込みについては、サブルーチン(集合写真から顔画像を切り出す例)（図１０参照）で後記する。
ステップＳ３で顔イメージ取得部１１ｃは、顔イメージの撮影場所若しくは撮影日時、又は画像更新日時を取得する。
ステップＳ４で顔イメージ取得部１１ｃは、取り込んだ顔イメージから、顔の特徴（メガネ有無、男女区別、推定年令など）を抽出する。
ステップＳ５で属性情報取得部１１ｂは、取り込んだ名刺文字データと、顔イメージ属性情報としての、取得した顔イメージの撮影場所若しくは撮影日時、又は画像更新日時、及び、抽出した人物の顔の特徴（メガネ有無、男女区別、推定年令など）と、を確認する画面を表示する。
【００４９】
ユーザが、表示された名刺文字データと顔イメージ属性情報を確認して、必要な修正をした後に、ステップＳ６で名刺レコード作成部１１ｄは、取り込んだ名刺文字データ、顔イメージ属性情報、及び顔イメージを相互に関連付けた名刺レコード２０（図４参照）を作成する。
前記図４に示すように、名刺レコード作成部１１ｄは、名刺レコード識別番号毎に、グループ番号（個人用／会社用）、顔イメージ、顔イメージ属性情報（性別、年令、メガネ有無、撮影地と日時など）、名前、住所、電話番号、携帯電話番号、ＦＡＸ番号、メールアドレス、ニックネーム、会社名、部署名、会社電話番号、会社ＦＡＸ番号、会社メールアドレス、会社住所、ホームページアドレス、更新有無等からなる名刺レコード２０を作成する。なお、名刺文字データ、及び、顔イメージ属性情報は、名刺管理システム１が確認画面を表示することに代えて、ユーザが、それらデータ及び情報をすべて文字入力するようにしてもよい。
ステップＳ７で名刺レコード作成部１１ｄは、作成した名刺レコード２０を確認する確認画面を表示する。
ユーザが、名刺レコード２０のフィールド情報を確認した後に、ステップＳ８で名刺レコード作成部１１ｄは、名刺レコード２０を記憶部１７のＤＢ１７ａに登録して本フローの処理を終了する。
【００５０】
図１０は、本発明の実施の形態に係る名刺管理システム１の顔イメージ取り込み処理を示すフローチャートである。本フローは、図９のステップＳ２のサブルーチンである。
ステップＳ１０１で顔イメージ取得部１１ｃは、集合写真から人物を取り込むか否かを判別する。
集合写真から人物を取り込む場合、ステップＳ１０２で顔イメージ取得部１１ｃは、取り込んだ集合写真の人物の中から顔認識できた人物の顔部分を枠で囲んで表示する（図６Ａ参照）。
【００５１】
ステップＳ１０３で顔イメージ取得部１１ｃは、切り出し画面の確認待ちを行う。切り出し画面の確認は、顔認識できた複数の人物の顔の中から、ユーザが所望の人物の顔を選択することであり、選択すると確認終了となる。具体的には、ＬＣＤ表示部１５（図３参照）に取り込んだ集合写真と、その集合写真上に顔認識できた人物の顔部分の枠が表示される。ユーザはタッチパネル１６により所望の人物の顔の枠をタッチすることで切り出し画面の確認が終了する。
切り出し画面の確認がされた場合、ステップＳ１０４で顔イメージ取得部１１ｃは、切り出した顔イメージをトリミングして撮影地及び撮影日時と共に保存する。顔イメージ取得部１１ｃは、顔イメージの撮影日時情報がない場合は、顔イメージを切り出した日時を保存する。
【００５２】
一方、上記ステップＳ１０１で集合写真でない場合、ステップＳ１０５で顔イメージ取得部１１ｃは、人物の画像データを取り込む。
ステップＳ１０６では、取り込んだ人物の画像データの確認待ちを行う。
取り込んだ人物の画像データの確認がされた場合、ステップＳ１０７で顔イメージ取得部１１ｃは、取り込んだ人物の画像データから顔イメージを切り出し、撮影地及び撮影日時と共に保存して図９のステップＳ２に戻る。
【００５３】
図１１及び図１２は、本発明の実施の形態に係る名刺管理システム１の検索処理を示すフローチャートである。
ステップＳ１１で制御部１１は、アクセス画面を表示する。例えば、前記図６Ａに示すように、メインメニュー画面５０を表示する。
ステップＳ１２で制御部１１は、顔イメージを用いて検索するか否かを判別する。例えば、前記図８Ｂに示すように、メインメニュー画面５０において、顔から検索ボタン５３がタッチされると、顔検索画面８０が表示され、顔イメージを用いた検索となる。また、文字から検索ボタン５２がタッチされると、図８Ａに示す文字検索画面７０が表示される。文字検索画面７０には、文字入力欄７１、名刺一覧７２などが表示される。
【００５４】
顔イメージを用いて検索しない場合、ステップＳ１３で制御部１１は、図８Ａに示す文字検索画面７０で検索キー入力を行う。
ステップＳ１４で制御部１１は、すべての検索キーが入力されたか否かを判別する。
すべての検索キーが入力された場合は、ステップＳ１５で検索実行部１１ｅは、記憶部１７のＤＢ１７ａに対し検索キーによる検索を実行する。
ステップＳ１６で検索実行部１１ｅは、検索結果を表示する。例えば、図８Ａに示すように、キーワード入力欄に入力されたキーワードでＤＢ１７ａが検索され、その検索により抽出された名刺情報の一覧が名刺一覧７２に表示される。
ステップＳ１７で名刺レコード情報出力部１１ｇは、名刺レコード２０にアクセスする。
【００５５】
一方、上記ステップＳ２で顔イメージを用いて検索する場合、ステップＳ１８で制御部１１は、図８Ｂに示す顔検索画面８０で、属性入力欄８１及び顔イメージ一覧８２などから検索キー入力を行う。
ステップＳ１９で制御部１１は、すべての検索キーが入力されたか否かを判別する。
すべての検索キーが入力された場合は、ステップＳ２０で検索実行部１１ｅは、記憶部１７のＤＢ１７ａに対し検索キーによる検索を実行する。
【００５６】
ステップＳ２１でサムネイル表示部１１ｆは、検索結果による顔イメージをサムネイル表示する。複数候補の顔イメージがある場合は、例えば更新日時の新しい順に顔イメージを表示する。
ステップＳ２２で検索実行部１１ｅは、表示された顔イメージ一覧８２から、その１つの顔イメージが選択されたか否かを判別する。
顔イメージが選択された場合、ステップＳ２３で検索実行部１１ｅは、サムネイル表示された顔イメージの名刺レコードにアクセスする。
【００５７】
ステップＳ２４で名刺レコード情報出力部１１ｇは、ステップＳ１７又はステップＳ２３でアクセスされた名刺レコードの情報を表示して本フローの処理を終了する。
以上のようにして、ユーザは、顔イメージから名刺情報を検索することができ、名刺レコード２０の詳細情報を閲覧することができる。
【００５８】
以上説明したように、本実施形態の名刺管理システム１は、名刺に関連して人物の顔イメージを取得する顔イメージ取得部１１ｃと、取得した顔イメージから該人物の顔イメージ属性情報を取得する属性情報取得部１１ｂと、取得した前記顔イメージと前記顔イメージ属性情報とを関連付けて名刺レコードを作成する名刺レコード作成部１１ｄと、作成した前記名刺レコードを記憶する記憶部１７と、前記顔イメージ属性情報を検索キーとして記憶されている前記名刺レコードを検索する検索実行部１１ｅと、検索された結果の前記名刺レコードの前記顔イメージをサムネイル表示するサムネイル表示部１１ｆとを備える。
名刺管理方法では、名刺に関連して人物の顔イメージを取得する顔イメージ取得ステップと、取得した顔イメージから該人物の顔イメージ属性情報を取得する属性情報取得ステップと、取得した前記顔イメージと前記顔イメージ属性情報とを関連付けて名刺レコードを作成する名刺レコード作成ステップと、作成した前記名刺レコードを記憶する記憶ステップと、前記顔イメージ属性情報を検索キーとして記憶されている前記名刺レコードを検索する検索実行ステップと、検索された結果の前記名刺レコードの前記顔イメージをサムネイル表示するサムネイル表示ステップと、を実行する。
【００５９】
従来例では、名前を忘れてしまった場合や漢字・英字以外の特殊外国語文字の場合には、入力・検索できないことがあった。
これに対して、本実施形態では、一般に名刺に記載されることがない、年令又は性別の情報が顔画像とともに、名刺レコード２０として登録されているので、名前を忘れても名刺レコード２０にアクセスできる。また、文字入力では検索できない場合に、顔イメージに関連する情報を検索キーとして用いて名刺レコード２０を検索することができる。文字入力では検索できない場合には、漢字・英字以外の特殊外国語文字であって入力又は検索できない場合が含まれる。
このように、文字入力から名刺情報を検索していた従来に比べ、顔イメージを用いて検索できるので、名前を忘れてしまった場合や文字入力に手間がかかる場合でも容易に、かつ直感的に名刺レコード２０にアクセスできる。名刺情報を利用するときの利便性を格段向上させることができる。
【００６０】
以上の説明は本発明の好適な実施の形態の例証であり、本発明の範囲はこれに限定されるものではなく、特許請求の範囲に記載した本発明の要旨を逸脱しない限りにおいて、他の変形例、応用例を含む。
また、上記した実施形態例は本発明をわかりやすく説明するために詳細に説明したものであり、必ずしも説明した全ての構成を備えるものに限定されるものではない。また、ある実施形態例の構成の一部を他の実施形態例の構成に置き換えることが可能であり、また、ある実施形態例の構成に他の実施形態例の構成を加えることも可能である。また、各実施形態例の構成の一部について、他の構成の追加・削除・置換をすることが可能である。
【００６１】
また、上記実施の形態では、名刺管理システム及び名刺管理方法という名称を用いたが、これは説明の便宜上であり、名刺管理装置、名刺検索方法等であってもよい。
【００６２】
以上説明した名刺管理処理は、この名刺管理処理を機能させるためのプログラムでも実現される。このプログラムはコンピュータで読み取り可能な記録媒体に格納されている。
【００６３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の記録装置、又は、ＩＣ（Integrated Circuit）カード、ＳＤ（Secure Digital）カード、光ディスク等の記録媒体に保持することができる。また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
また、制御線や情報線は説明上必要と考えられるものを示しており、製品上必ずしもすべての制御線や情報線を示しているとは限らない。実際にはほとんど全ての構成が相互に接続されていると考えてもよい。
【符号の説明】
【００６４】
１  名刺管理システム
１０，１０Ａ  名刺管理装置
１１  制御部
１２  撮像部
１３  操作部
１５  ＬＣＤ表示部
１６  タッチパネル
１７  記憶部（記憶手段）
１７ａ  データベース（ＤＢ）
１１ａ  名刺情報取得部（名刺情報取得手段）
１１ｂ  属性情報取得部（属性情報取得手段）
１１ｃ  顔イメージ取得部（顔イメージ取得手段）
１１ｄ  名刺レコード作成部（名刺レコード作成手段）
１１ｅ  検索実行部（検索実行手段）
１１ｆ  サムネイル表示部（サムネイル表示手段）
１１ｇ  名刺レコード情報出力部（名刺レコード情報出力手段）
２０  名刺レコード
【図１】
2020009145.tif 000003
【図２】
2020009145.tif 000004
【図３】
2020009145.tif 000005
【図４】
2020009145.tif 000006
【図５】
2020009145.tif 000007
【図６Ａ】
2020009145.tif 000008
【図６Ｂ】
2020009145.tif 000009
【図７Ａ】
2020009145.tif 000010
【図７Ｂ】
2020009145.tif 000011
【図８Ａ】
2020009145.tif 000012
【図８Ｂ】
2020009145.tif 000013
【図９】
2020009145.tif 000014
【図１０】
2020009145.tif 000015
【図１１】
2020009145.tif 000016
【図１２】
2020009145.tif 000017